(57)【要約】【課題】ＯＳＤ画像が全体調整用であるのか個別調整用であるのかを利用者が判別可能にする技術を提供する。【解決手段】複数のプロジェクターを含み、前記複数のプロジェクターの投射画像を組み合わせることで、複数の調整項目から調整を行う項目を選択するための項目選択画像を含む画像を、投射面に表示するマルチプロジェクションシステムであって、前記複数のプロジェクターのいずれかである第１プロジェクターは、前記マルチプロジェクションシステムの調整についての指示を受け取る受取部と、前記指示が前記複数のプロジェクターをまとめて調整する第１調整を示す第１の場合と、前記指示が前記複数のプロジェクターを個別に調整する第２調整を示す第２の場合とで、前記項目選択画像における前記調整項目の態様を異ならせる態様制御部と、を含むことを特徴とするマルチプロジェクションシステム。【選択図】図２
2020068447.tif 000002
【特許請求の範囲】
【請求項１】
複数のプロジェクターを含み、前記複数のプロジェクターの投射画像を組み合わせることで、複数の調整項目から調整を行う項目を選択するための項目選択画像を含む画像を、投射面に表示するマルチプロジェクションシステムであって、
前記複数のプロジェクターのいずれかである第１プロジェクターは、
前記マルチプロジェクションシステムの調整についての指示を受け取る受取部と、
前記指示が前記複数のプロジェクターをまとめて調整する第１調整を示す第１の場合と、前記指示が前記複数のプロジェクターを個別に調整する第２調整を示す第２の場合とで、前記項目選択画像における前記調整項目の態様を異ならせる態様制御部と、
を含むことを特徴とするマルチプロジェクションシステム。
【請求項２】
前記項目選択画像は、第１画像の上に重畳される、
ことを特徴とする請求項１に記載のマルチプロジェクションシステム。
【請求項３】
前記調整項目は、前記第１調整においては使用できず前記第２調整においては使用できる項目を含む、
ことを特徴とする請求項１または２に記載のマルチプロジェクションシステム。
【請求項４】
前記態様制御部は、前記第１の場合には前記複数の調整項目のうち、一の調整項目を前記項目選択画像に含ませず、前記第２の場合には前記一の調整項目を前記項目選択画像に含ませる、
ことを特徴とする請求項３に記載のマルチプロジェクションシステム。
【請求項５】
前記調整項目は、前記第２調整においては使用できず前記第１調整においては使用できる項目を含む、
ことを特徴とする請求項１または２に記載のマルチプロジェクションシステム。
【請求項６】
前記態様制御部は、前記第２の場合には前記複数の調整項目のうち、一の調整項目を前記項目選択画像に含ませず、前記第１の場合には前記一の調整項目を前記項目選択画像に含ませる、
ことを特徴とする請求項５に記載のマルチプロジェクションシステム。
【請求項７】
前記態様制御部は、前記第１の場合と前記第２の場合とで、前記調整項目の色を異ならせる、
ことを特徴とする請求項１、２、３または５に記載のマルチプロジェクションシステム。
【請求項８】
前記態様制御部は、前記第１の場合と前記第２の場合とで、前記調整項目の形状を異ならせる、
ことを特徴とする請求項１、２、３または５に記載のマルチプロジェクションシステム。
【請求項９】
前記受取部は、前記項目選択画像において選択されている前記調整項目についての調整内容を示す内容指示をさらに受け取り、
前記第１プロジェクターは、
前記内容指示が示す前記調整内容に基づいて前記第１プロジェクターの設定を調整する調整部と、
前記第１の場合には、前記複数のプロジェクターのうち前記第１プロジェクターとは異なる第２プロジェクターに、前記内容指示を提供する提供部と、
を含むことを特徴とする請求項１から８のいずれか１項に記載のマルチプロジェクションシステム。
【請求項１０】
前記提供部は、前記第２の場合には、前記第２プロジェクターに前記内容指示を提供しない、
ことを特徴とする請求項９に記載のマルチプロジェクションシステム。
【請求項１１】
複数のプロジェクターの投射画像を組み合わせることで、複数の調整項目から調整を行う項目を選択するための項目選択画像を含む画像を、投射面に表示するマルチプロジェクションシステムに属することが可能なプロジェクターであって、
当該プロジェクターが前記マルチプロジェクションシステムに属する状況において、前記マルチプロジェクションシステムの調整についての指示を受け取る受取部と、
前記指示が前記複数のプロジェクターをまとめて調整する第１調整を示す第１の場合と、前記指示が前記複数のプロジェクターを個別に調整する第２調整を示す第２の場合とで、前記項目選択画像における前記調整項目の態様を異ならせる態様制御部と、
を含むことを特徴とするプロジェクター。
【請求項１２】
複数のプロジェクターの投射画像を組み合わせることで、複数の調整項目から調整を行う項目を選択するための項目選択画像を含む画像を、投射面に表示するマルチプロジェクションシステムに属することが可能なプロジェクターの制御方法であって、
当該プロジェクターが前記マルチプロジェクションシステムに属する状況において、前記マルチプロジェクションシステムの調整についての指示を受け取り、
前記指示が前記複数のプロジェクターをまとめて調整する第１調整を示す第１の場合と、前記指示が前記複数のプロジェクターを個別に調整する第２調整を示す第２の場合とで、前記項目選択画像における前記調整項目の態様を異ならせる、
ことを特徴とするプロジェクターの制御方法。
【発明の詳細な説明】
【技術分野】
【０００１】
本発明は、マルチプロジェクションシステム、プロジェクターおよびプロジェクターの制御方法に関する。
【背景技術】
【０００２】
特許文献１には、複数のプロジェクターの各々が投射する画像を組み合わせて組合せ画像を生成するマルチプロジェクションシステムが記載されている。このマルチプロジェクションシステムは、組合せ画像上に、マルチプロジェクションシステムの調整等に用いられるＯＳＤ（On Screen Display）画像を表示できる。
【先行技術文献】
【特許文献】
【０００３】
【特許文献１】特開２０１６−９５４１７号公報
【発明の概要】
【発明が解決しようとする課題】
【０００４】
マルチプロジェクションシステムの調整としては、複数のプロジェクターをまとめて調整する全体調整と、複数のプロジェクターを個別に調整する個別調整が考えられる。ここで、上述のＯＳＤ画像のような、マルチプロジェクションシステムの調整に用いられる画像の態様が、全体調整と個別調整とで変わらない場合、利用者は、調整に用いられる画像が全体調整用であるのか個別調整用であるのかを判別できないおそれがある。
【課題を解決するための手段】
【０００５】
本発明に係るマルチプロジェクションシステムの一態様は、複数のプロジェクターを含み、前記複数のプロジェクターの投射画像を組み合わせることで、複数の調整項目から調整を行う項目を選択するための項目選択画像を含む画像を、投射面に表示するマルチプロジェクションシステムであって、前記複数のプロジェクターのいずれかである第１プロジェクターは、前記マルチプロジェクションシステムの調整についての指示を受け取る受取部と、前記指示が前記複数のプロジェクターをまとめて調整する第１調整を示す第１の場合と、前記指示が前記複数のプロジェクターを個別に調整する第２調整を示す第２の場合とで、前記項目選択画像における前記調整項目の態様を異ならせる態様制御部と、を含む。
【０００６】
本発明に係るプロジェクターの一態様は、複数のプロジェクターの投射画像を組み合わせることで、複数の調整項目から調整を行う項目を選択するための項目選択画像を含む画像を、投射面に表示するマルチプロジェクションシステムに属することが可能なプロジェクターであって、当該プロジェクターが前記マルチプロジェクションシステムに属する状況において、前記マルチプロジェクションシステムの調整についての指示を受け取る受取部と、前記指示が前記複数のプロジェクターをまとめて調整する第１調整を示す第１の場合と、前記指示が前記複数のプロジェクターを個別に調整する第２調整を示す第２の場合とで、前記項目選択画像における前記調整項目の態様を異ならせる態様制御部と、を含む。
【０００７】
本発明に係るプロジェクターの制御方法の一態様は、複数のプロジェクターの投射画像を組み合わせることで、複数の調整項目から調整を行う項目を選択するための項目選択画像を含む画像を、投射面に表示するマルチプロジェクションシステムに属することが可能なプロジェクターの制御方法であって、当該プロジェクターが前記マルチプロジェクションシステムに属する状況において、前記マルチプロジェクションシステムの調整についての指示を受け取り、前記指示が前記複数のプロジェクターをまとめて調整する第１調整を示す第１の場合と、前記指示が前記複数のプロジェクターを個別に調整する第２調整を示す第２の場合とで、前記項目選択画像における前記調整項目の態様を異ならせる。
【図面の簡単な説明】
【０００８】
【図１】第１実施形態に係るマルチプロジェクションシステム１を示す図である。
【図２】第１プロジェクター１００の一例を示す図である。
【図３】第１画像Ｇ１の一例を示す図である。
【図４】ＯＳＤ画像Ｇ２の一例を示す図である。
【図５】第２プロジェクター２００の一例を示す図である。
【図６】マスター側投射部１４の一例を示す図である。
【図７】第１プロジェクター１００の動作を説明するためのフローチャートである。
【図８】ＯＳＤ画像Ｇ２１を示す図である。
【図９】ＯＳＤ画像Ｇ２２を示す図である。
【図１０】合成画像Ｇ３１の一例を示す図である。
【図１１】合成画像Ｇ３２の一例を示す図である。
【図１２】第２プロジェクター２００の動作を説明するためのフローチャートである。
【図１３】第１プロジェクター１００の動作を説明するためのフローチャートである。
【図１４】調整用ＯＳＤ画像Ｇ６の一例を示す図である。
【図１５】調整用合成画像Ｇ７の一例を示す図である。
【図１６】第２プロジェクター２００の動作を説明するためのフローチャートである。
【図１７】第１プロジェクター１００の動作を説明するためのフローチャートである。
【図１８】第２プロジェクター２００の動作を説明するためのフローチャートである。
【図１９】第２プロジェクター２００の動作を説明するためのフローチャートである。
【図２０】項目選択画像Ｇ４の他の例を示す図である。
【図２１】項目選択画像Ｇ４の他の例を示す図である。
【図２２】項目選択画像Ｇ４の他の例を示す図である。
【図２３】項目選択画像Ｇ４の他の例を示す図である。
【図２４】項目選択画像Ｇ４の他の例を示す図である。
【発明を実施するための形態】
【０００９】
＜Ａ：第１実施形態＞
＜Ａ１：マルチプロジェクションシステム１の概要＞
図１は、第１実施形態に係るマルチプロジェクションシステム１を示す図である。図１では、プロジェクターを「ＰＪ」と示している。
マルチプロジェクションシステム１は、第１プロジェクター１００と、第２プロジェクター２００と、第３プロジェクター３００と、第４プロジェクター４００と、を含む。なお、マルチプロジェクションシステム１を構成するプロジェクターの数は４台に限らず、２台以上であればよい。
【００１０】
第１プロジェクター１００と、第２プロジェクター２００と、第３プロジェクター３００と、第４プロジェクター４００の各々は、マルチプロジェクションシステム１に属することもでき、属さないこともできる。第１プロジェクター１００と、第２プロジェクター２００と、第３プロジェクター３００と、第４プロジェクター４００との各々は、マルチプロジェクションシステム１に属さない場合、単独で動作可能である。
【００１１】
第１プロジェクター１００と、第２プロジェクター２００と、第３プロジェクター３００と、第４プロジェクター４００とは、この順番でデイジーチェーン接続している。なお、第１プロジェクター１００と、第２プロジェクター２００と、第３プロジェクター３００と、第４プロジェクター４００との接続形態は、デイジーチェーン接続に限らず、適宜変更可能である。
【００１２】
マルチプロジェクションシステム１は、全体調整と個別調整との各々を実行できる。
全体調整では、第１プロジェクター１００と、第２プロジェクター２００と、第３プロジェクター３００と、第４プロジェクター４００とが、まとめて調整される。全体調整は、第１調整の一例である。
個別調整では、第１プロジェクター１００と、第２プロジェクター２００と、第３プロジェクター３００と、第４プロジェクター４００とが、個別に調整される。個別調整は、第２調整の一例である。
【００１３】
マルチプロジェクションシステム１は、第１プロジェクター１００が投射する第１投射画像１００ａと、第２プロジェクター２００が投射する第２投射画像２００ａと、第３プロジェクター３００が投射する第３投射画像３００ａと、第４プロジェクター４００が投射する第４投射画像４００ａとを、投射面ＳＣ上で組み合わせることで、投射面ＳＣに合成画像Ｇ３を表示する。合成画像Ｇ３は、投射面ＳＣに複数の投射画像を並べて形成されるタイリング画像である。投射面ＳＣは、例えば、スクリーンまたは壁である。
【００１４】
図１に例示する合成画像Ｇ３は、マルチプロジェクションシステム１の調整項目を選択するための項目選択画像Ｇ４を含む。
図１に例示される項目選択画像Ｇ４には、調整に関する項目Ｇ４ａとして、カラーモードの項目Ｇ４ａ１と、明るさの項目Ｇ４ａ２と、コントラストの項目Ｇ４ａ３と、シャープネスの項目Ｇ４ａ４と、色温度の項目Ｇ４ａ５とが含まれる。なお、項目Ｇ４ａは、カラーモードの項目Ｇ４ａ１と、明るさの項目Ｇ４ａ２と、コントラストの項目Ｇ４ａ３と、シャープネスの項目Ｇ４ａ４と、色温度の項目Ｇ４ａ５とに限らず、適宜変更可能である。
【００１５】
個別調整においては、マルチプロジェクションシステム１は、カラーモードの項目Ｇ４ａ１と、明るさの項目Ｇ４ａ２と、コントラストの項目Ｇ４ａ３と、シャープネスの項目Ｇ４ａ４と、色温度の項目Ｇ４ａ５とを使用できる。本実施形態のマルチプロジェクションシステム１は、カラーモードと明るさとコントラストとシャープネスと色温度については、個別調整が可能な構成である。
一方、全体調整においては、マルチプロジェクションシステム１は、カラーモードの項目Ｇ４ａ１と、シャープネスの項目Ｇ４ａ４と、色温度の項目Ｇ４ａ５とを使用できるが、明るさの項目Ｇ４ａ２と、コントラストの項目Ｇ４ａ３とを使用できない。本実施形態のマルチプロジェクションシステム１は、明るさとコントラストについては、全体調整できない構成である。
換言すると、カラーモードの項目Ｇ４ａ１と、シャープネスの項目Ｇ４ａ４と、色温度の項目Ｇ４ａ５は、個別調整と全体調整の両方に使用できるが、明るさの項目Ｇ４ａ２と、コントラストの項目Ｇ４ａ３は、個別調整には使用できるが全体調整には使用できない。
【００１６】
第１プロジェクター１００は、マスタープロジェクターとして機能する。第２プロジェクター２００と第３プロジェクター３００と第４プロジェクター４００の各々は、スレーブプロジェクターとして機能する。
【００１７】
＜Ａ２：第１プロジェクター１００の構成例＞
図２は、マスタープロジェクターとして機能する第１プロジェクター１００の一例を示す図である。第１プロジェクター１００は、受信部１１と、受取部１２と、マスター側通信部１３と、マスター側投射部１４と、マスター側受付部１５と、マスター側記憶部１６と、マスター側処理部１７と、を含む。
【００１８】
受信部１１は、例えば、画像情報の入力端子である。受信部１１は、図１に示すＰＣ（Personal Computer）２から第１画像情報Ｇ１ａを受信する。ＰＣ２は、画像供給装置の一例である。画像供給装置は、一般的にソース機器と称されることもある。なお、画像供給装置はＰＣ２に限らない。例えば、画像供給装置として、ＤＶＤ（Digital Versatile Disc）プレーヤーが用いられてもよい。第１画像情報Ｇ１ａが示す第１画像Ｇ１の一例を図３に示す。なお、第１画像Ｇ１は、図３に例示される画像に限らず適宜変更可能である。第１画像Ｇ１の解像度は、例えば、横８Ｋ縦１Ｋである。第１画像Ｇ１の解像度は、横８Ｋ縦１Ｋに限らず適宜変更可能である。
【００１９】
受取部１２は、例えば、操作ボタンまたはタッチパネルである。受取部１２は、操作受取部とも称され得る。受取部１２は、利用者から種々の操作指示を受け取る。一例を挙げると、受取部１２は、利用者から、マルチプロジェクションシステム１の調整についての指示を受け取る。以下、「マルチプロジェクションシステム１の調整についての指示」を「調整指示」と称する。受取部１２は、全体調整を示す調整指示を受取可能であり、また、個別調整を示す調整指示を受取可能である。また、受取部１２は、利用者から、項目選択画像Ｇ４に示される項目Ｇ４ａのいずれかを選択する選択指示を受け取る。
【００２０】
マスター側通信部１３は、第２プロジェクター２００と通信する。マスター側通信部１３は、例えば、合成画像Ｇ３を示す合成画像情報Ｇ３ａを第２プロジェクター２００に送信する。
【００２１】
マスター側投射部１４は、第１投射画像１００ａを示す第１部分画像情報に基づいて、第１投射画像１００ａを投射面ＳＣに投射して表示する。ここで、第１部分画像情報は、合成画像情報Ｇ３ａに基づいてマスター側処理部１７によって生成され、その後、マスター側投射部１４に提供される。
【００２２】
マスター側受付部１５は、例えば、操作ボタンである。マスター側受付部１５は、利用者による操作を受け付ける。例えば、マスター側受付部１５は、利用者が選択した項目Ｇ４ａ、例えばシャープネスの項目Ｇ４ａ４、についての調整内容を示す内容指示を受け付ける。ここで、マスター側受付部１５は、受取部１２に包含されてもよい。この場合、受取部１２は、内容指示を受け付けることになる。
【００２３】
マスター側記憶部１６は、コンピューター読み取り可能な記録媒体である。マスター側記憶部１６は、例えば、フラッシュメモリーである。マスター側記憶部１６は、フラッシュメモリーに限らず適宜変更可能である。マスター側記憶部１６は、例えば、種々の情報と、マスター側処理部１７が実行するプログラムとを記憶する。
【００２４】
マスター側記憶部１６が記憶する種々の情報の一例としては、ＯＳＤに関する情報が挙げられる。ＯＳＤに関する情報は、例えば、項目選択画像Ｇ４を含むＯＳＤ画像Ｇ２を生成するために用いられる。ＯＳＤ画像Ｇ２の一例を図４に示す。ＯＳＤ画像Ｇ２の解像度は、第１画像Ｇ１の解像度と同一である。なお、ＯＳＤ画像Ｇ２は、図４に例示される画像に限らず適宜変更可能である。
【００２５】
マスター側処理部１７は、例えば、ＣＰＵ（Central Processing Unit）等のコンピューターである。マスター側処理部１７は、１または複数のプロセッサーで構成されてもよい。マスター側処理部１７は、例えば、ＣＰＵの代わりに、または、ＣＰＵに加えて、ＦＰＧＡ（field programmable gate array）またはＡＳＩＣ（Application Specific IC）等の電子回路を備えてもよい。
【００２６】
マスター側処理部１７は、マスター側記憶部１６に記憶されているプログラムを読み取り実行することによって、ＯＳＤ画像生成部１７１と、合成画像生成部１７２と、マスター側投射画像生成部１７３と、マスター側調整部１７４と、提供部１７５とを実現する。
【００２７】
ＯＳＤ画像生成部１７１は、態様制御部の一例である。ＯＳＤ画像生成部１７１は、マスター側記憶部１６に記憶されているＯＳＤに関する情報を用いて、ＯＳＤ画像Ｇ２を示すＯＳＤ画像情報Ｇ２ａを生成する。ＯＳＤ画像生成部１７１は、調整指示が全体調整を示す第１の場合と、調整指示が個別調整を示す第２の場合とで、ＯＳＤ画像Ｇ２に含まれる項目Ｇ４ａの態様、具体的には、明るさの項目Ｇ４ａ２およびコントラストの項目Ｇ４ａ３の態様を異ならせる。明るさの項目Ｇ４ａ２と、コントラストの項目Ｇ４ａ３は、調整項目の一例である。
【００２８】
合成画像生成部１７２は、第１画像情報Ｇ１ａとＯＳＤ画像情報Ｇ２ａとを用いて、合成画像情報Ｇ３ａを生成する。
【００２９】
マスター側投射画像生成部１７３は、合成画像Ｇ３に含まれる第１投射画像１００ａの位置、具体的には、合成画像Ｇ３における第１投射画像１００ａの位置を示す第１特定情報を用いて、合成画像情報Ｇ３ａから第１部分画像情報を抽出することによって、第１部分画像情報を生成する。第１特定情報は、例えば、利用者によって設定され、マスター側記憶部１６に記憶されている。また、マスター側投射画像生成部１７３は、第１部分画像情報に対して画像処理を施すことができる。
【００３０】
マスター側調整部１７４は、マスター側受付部１５が受け付ける内容指示の示す調整内容に基づいて、第１プロジェクター１００の設定を調整する。例えば、マスター側調整部１７４は、マスター側投射画像生成部１７３における画像処理の設定を、内容指示の示す調整内容に基づいて調整する。
【００３１】
提供部１７５は、マスター側通信部１３を用いて、合成画像情報Ｇ３ａを第２プロジェクター２００に提供する。また、提供部１７５は、全体調整時に受け付けられる内容指示を、マスター側通信部１３を用いて第２プロジェクター２００に提供する。なお、提供部１７５は、個別調整時に受け付けられる内容指示については、第２プロジェクター２００に提供しない。
【００３２】
＜Ａ３：第２プロジェクター２００の構成例＞
図５は、第２プロジェクター２００の一例を示す図である。第２プロジェクター２００は、スレーブ側通信部２１と、スレーブ側投射部２２と、スレーブ側受付部２３と、スレーブ側記憶部２４と、スレーブ側処理部２５と、を含む。
【００３３】
スレーブ側通信部２１は、第１プロジェクター１００および第３プロジェクター３００と通信する。例えば、スレーブ側通信部２１は、第１プロジェクター１００から合成画像情報Ｇ３ａを受信する。また、スレーブ側通信部２１は、第３プロジェクター３００に合成画像情報Ｇ３ａを送信する。
【００３４】
スレーブ側投射部２２は、第２投射画像２００ａを示す第２部分画像情報に基づいて、第２投射画像２００ａを投射面ＳＣに投射して表示する。第２部分画像情報は、合成画像情報Ｇ３ａに基づいてスレーブ側処理部２５によって生成され、その後、スレーブ側投射部２２に提供される。
【００３５】
スレーブ側受付部２３は、マスター側受付部１５と同一構成である。このため、スレーブ側受付部２３についての詳細な説明は割愛する。
【００３６】
スレーブ側記憶部２４は、コンピューター読み取り可能な記録媒体である。スレーブ側記憶部２４は、例えば、フラッシュメモリーである。スレーブ側記憶部２４は、フラッシュメモリーに限らず適宜変更可能である。スレーブ側記憶部２４は、例えば、種々の情報と、スレーブ側処理部２５が実行するプログラムとを記憶する。
【００３７】
スレーブ側処理部２５は、例えば、ＣＰＵ等のコンピューターである。スレーブ側処理部２５は、１または複数のプロセッサーで構成されてもよい。スレーブ側処理部２５は、例えば、ＣＰＵの代わりに、または、ＣＰＵに加えて、ＦＰＧＡまたはＡＳＩＣ等の電子回路を備えてもよい。スレーブ側処理部２５は、スレーブ側記憶部２４に記憶されたプログラムを読み取り実行することによって、スレーブ側投射画像生成部２５１とスレーブ側調整部２５２とを実現する。
【００３８】
スレーブ側投射画像生成部２５１は、合成画像Ｇ３に含まれる第２投射画像２００ａの位置、具体的には、合成画像Ｇ３における第２投射画像２００ａの位置を示す第２特定情報を用いて、合成画像情報Ｇ３ａから第２部分画像情報を抽出することによって、第２部分画像情報を生成する。第２特定情報は、例えば、利用者によって設定され、スレーブ側記憶部２４に記憶されている。また、スレーブ側投射画像生成部２５１は、第２部分画像情報に対して画像処理を施すことができる。
【００３９】
スレーブ側調整部２５２は、スレーブ側投射画像生成部２５１における画像処理の設定を、個別調整時には、スレーブ側受付部２３が受け付ける内容指示の示す調整内容に基づいて調整する。また、スレーブ側調整部２５２は、全体調整時には、スレーブ側通信部２１が第１プロジェクター１００から受信する内容指示の示す調整内容に基づいて、スレーブ側投射画像生成部２５１における画像処理の設定を調整する。
【００４０】
＜Ａ４：第３プロジェクター３００の構成例＞
第３プロジェクター３００は、第２特定情報の代わりに第３特定情報を用いる点を除いて第２プロジェクター２００と同一構成である。このため、第３プロジェクター３００についての詳細な説明は割愛する。なお、第３特定情報は、合成画像Ｇ３における第３投射画像３００ａの位置を示す。
【００４１】
＜Ａ５：第４プロジェクター４００の構成例＞
第４プロジェクター４００は、第２特定情報の代わりに第４特定情報を用いる点を除いて第２プロジェクター２００と同一構成である。このため、第４プロジェクター４００についての詳細な説明は割愛する。なお、第４特定情報は、合成画像Ｇ３における第４投射画像４００ａの位置を示す。
【００４２】
＜Ａ６：マスター側投射部１４の構成例＞
図６は、マスター側投射部１４の一例を示す図である。マスター側投射部１４は、ライトバルブ駆動部１４１と、光源１４２と、赤色用液晶ライトバルブ１４３Ｒと、緑色用液晶ライトバルブ１４３Ｇと、青色用液晶ライトバルブ１４３Ｂと、投射光学系１４４と、を含む。以下、赤色用液晶ライトバルブ１４３Ｒと、緑色用液晶ライトバルブ１４３Ｇと、青色用液晶ライトバルブ１４３Ｂとを相互に区別する必要がない場合、これらを「液晶ライトバルブ１４３」と称する。
【００４３】
ライトバルブ駆動部１４１は、マスター側投射画像生成部１７３から入力される第１部分画像情報に基づいて液晶ライトバルブ１４３を駆動する。
【００４４】
光源１４２は、キセノンランプ、超高圧水銀ランプ、ＬＥＤ（Light Emitting Diode）、またはレーザー光源等である。光源１４２から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１４３Ｒに入射する。緑色の色光成分は緑色用液晶ライトバルブ１４３Ｇに入射する。青色の色光成分は青色用液晶ライトバルブ１４３Ｂに入射する。
【００４５】
液晶ライトバルブ１４３は、一対の透明基板間に液晶が存在する液晶パネル等によって構成される。液晶ライトバルブ１４３は、マトリクス状に位置する複数の画素１４３ｐを含む矩形の画素領域１４３ａを有する。液晶ライトバルブ１４３では、液晶に対して画素１４３ｐごとに駆動電圧が印加される。ライトバルブ駆動部１４１が、第１部分画像情報に基づく駆動電圧を各画素１４３ｐに印加すると、各画素１４３ｐは、駆動電圧に基づく光透過率に設定される。このため、光源１４２から射出される光は、画素領域１４３ａを通ることで変調され、第１部分画像情報に基づく画像が色光ごとに形成される。
【００４６】
各色の画像は、図示しない色合成光学系によって画素１４３ｐごとに合成され、カラー画像である第１投射画像１００ａが生成される。第１投射画像１００ａは、投射光学系１４４によって投射面ＳＣに投射される。
【００４７】
なお、上述の通り、スレーブ側投射部２２はマスター側投射部１４と同一構成であるため、詳細な説明を省略する。
【００４８】
＜Ａ７：第１プロジェクター１００の投射動作＞
図７は、第１プロジェクター１００の投射動作を説明するためのフローチャートである。ここで、第１プロジェクター１００には、第１画像情報Ｇ１ａが入力されており、受取部１２が、調整指示を受け取るとする。
【００４９】
ステップＳ１において調整指示が全体調整を示す場合、ステップＳ２においてＯＳＤ画像生成部１７１は、全体調整用のＯＳＤ画像Ｇ２を示すＯＳＤ画像情報Ｇ２ａを生成する。
【００５０】
一方、ステップＳ１において調整指示が個別調整を示す場合、ステップＳ３においてＯＳＤ画像生成部１７１は、個別調整用のＯＳＤ画像Ｇ２を示すＯＳＤ画像情報Ｇ２ａを生成する。
【００５１】
図８は、全体調整用のＯＳＤ画像Ｇ２の一例であるＯＳＤ画像Ｇ２１を示す図である。図８に示す全体調整のためのＯＳＤ画像Ｇ２１では、第２投射画像２００ａと第３投射画像３００ａとにまたがる位置に項目選択画像Ｇ４が位置する。
図９は、個別調整用のＯＳＤ画像Ｇ２の一例であるＯＳＤ画像Ｇ２２を示す図である。図９に示す個別調整のためのＯＳＤ画像Ｇ２２では、第１投射画像１００ａに収まる位置に項目選択画像Ｇ４が位置し、第２投射画像２００ａと第３投射画像３００ａと第４投射画像４００ａには項目選択画像Ｇ４は位置しない。
【００５２】
図８に示す全体調整のためのＯＳＤ画像Ｇ２１では、全体調整に使用できる項目、具体的には、カラーモードの項目Ｇ４ａ１とシャープネスの項目Ｇ４ａ４と色温度の項目Ｇ４ａ５は、黒色で示され、全体調整に使用できない項目、具体的には、明るさの項目Ｇ４ａ２とコントラストの項目Ｇ４ａ３は、グレー色で示されている。すなわち、全体調整のためのＯＳＤ画像Ｇ２１では、全体調整に使用できない項目である、明るさの項目Ｇ４ａ２およびコントラストの項目Ｇ４ａ３は、グレーアウトで表示されている。黒色は第１の色の一例であり、グレー色は、第１の色とは異なる第２の色の一例である。本実施形態に係るマルチプロジェクションシステム１は、ＯＳＤ画像Ｇ２に含まれる項目Ｇ４ａの態様である表示色を、全体調整の場合と個別調整の場合とで異ならせる。
【００５３】
図９に示す個別調整のためのＯＳＤ画像Ｇ２２では、項目選択画像Ｇ４に示される全ての項目、具体的には、カラーモードの項目Ｇ４ａ１と、明るさの項目Ｇ４ａ２と、コントラストの項目Ｇ４ａ３と、シャープネスの項目Ｇ４ａ４と、色温度の項目Ｇ４ａ５が、個別調整において使用できるため、黒色で示されている。
【００５４】
図７に戻って、ＯＳＤ画像生成部１７１がＯＳＤ画像情報Ｇ２ａを生成すると、ステップＳ４において合成画像生成部１７２は、第１画像情報Ｇ１ａとＯＳＤ画像情報Ｇ２ａとを用いて、第１画像Ｇ１の上にＯＳＤ画像Ｇ２が重畳されている合成画像Ｇ３を示す合成画像情報Ｇ３ａを生成する。図１０は、第１画像Ｇ１の上に全体調整のためのＯＳＤ画像Ｇ２１が重畳されている合成画像Ｇ３１の一例を示す図である。図１１は、第１画像Ｇ１の上に個別調整のためのＯＳＤ画像Ｇ２２が重畳されている合成画像Ｇ３２の一例を示す図である。
【００５５】
図７に戻って、続いてステップＳ５においてマスター側投射画像生成部１７３は、合成画像情報Ｇ３ａから第１部分画像情報を抽出することによって、第１部分画像情報を生成する。マスター側投射画像生成部１７３は、第１部分画像情報をマスター側投射部１４に出力する。
【００５６】
続いて、ステップＳ６においてマスター側投射部１４は、第１部分画像情報に基づいて第１投射画像１００ａを投射面ＳＣに投射して表示する。
【００５７】
続いて、ステップＳ７において提供部１７５は、マスター側通信部１３を用いて、合成画像情報Ｇ３ａを第２プロジェクター２００に提供する。
【００５８】
続いて、ステップＳ８において全体調整時である場合、ステップＳ９において提供部１７５は、マスター側通信部１３を用いて、第２プロジェクター２００に、全体調整を指示する全体調整指示を提供する。一方、ステップＳ８において個別調整時である場合、ステップＳ１０において提供部１７５は、マスター側通信部１３を用いて、第２プロジェクター２００に、個別調整を指示する個別調整指示を提供する。
【００５９】
第２プロジェクター２００のスレーブ側投射画像生成部２５１は、スレーブ側通信部２１を介して、全体調整指示を受け付けると、調整モードを全体調整モードに設定し、その後、スレーブ側通信部２１が、全体調整指示を第３プロジェクター３００に提供する。
また、第２プロジェクター２００のスレーブ側投射画像生成部２５１は、スレーブ側通信部２１を介して、個別調整指示を受け付けると、調整モードを個別調整モードに設定し、その後、スレーブ側通信部２１が、個別調整指示を第３プロジェクター３００に提供する。
【００６０】
第３プロジェクター３００および第４プロジェクター４００でも、以下のように、第２プロジェクター２００と同様に調整モードが設定される。
【００６１】
第３プロジェクター３００は、第２プロジェクター２００から全体調整指示を受信すると、調整モードを全体調整モードに設定し、かつ、全体調整指示を第４プロジェクター４００に提供する。また、第３プロジェクター３００は、第２プロジェクター２００から個別調整指示を受信すると、調整モードを個別調整モードに設定し、かつ、個別調整指示を第４プロジェクター４００に提供する。
【００６２】
第４プロジェクター４００は、第３プロジェクター３００から全体調整指示を受信すると、調整モードを全体調整モードに設定するが、全体調整指示の提供については実行しない。また、第４プロジェクター４００は、第３プロジェクター３００から個別調整指示を受信すると、調整モードを個別調整モードに設定するが、個別調整指示の提供については実行しない。
【００６３】
＜Ａ８：第２プロジェクター２００の投射動作＞
図１２は、第２プロジェクター２００が第２投射画像２００ａを投射する動作を説明するためのフローチャートである。
【００６４】
ステップＳ１１においてスレーブ側通信部２１が、第１プロジェクター１００から合成画像情報Ｇ３ａを受信すると、ステップＳ１２においてスレーブ側投射画像生成部２５１は、合成画像情報Ｇ３ａから第２部分画像情報を生成する。
なお、スレーブ側投射画像生成部２５１は、個別調整モードの場合、第２部分画像情報が示す第２投射画像２００ａに対して図９に示す項目選択画像Ｇ４を重畳した画像を示す画像情報を、画像処理後の第２部分画像情報として生成してもよい。
続いて、スレーブ側投射画像生成部２５１は、第２部分画像情報をスレーブ側投射部２２に出力する。なお、個別調整モードのときに、上述の画像処理後の第２部分画像情報が生成される場合、スレーブ側投射画像生成部２５１は、画像処理後の第２部分画像情報を、スレーブ側投射部２２に出力する。
【００６５】
続いて、ステップＳ１３においてスレーブ側投射部２２は、第２部分画像情報に基づいて、第２投射画像２００ａを投射面ＳＣに投射して表示する。なお、個別調整モードのときに画像処理後の第２部分画像情報が生成されている場合、スレーブ側投射部２２は、画像処理後の第２部分画像情報に基づいて、第２投射画像２００ａに項目選択画像Ｇ４が重畳されている画像を投射面ＳＣに投射して表示する。
【００６６】
続いて、ステップＳ１４においてスレーブ側通信部２１は、合成画像情報Ｇ３ａを第３プロジェクター３００に提供する。
【００６７】
＜Ａ９：第３プロジェクター３００の投射動作＞
第３プロジェクター３００での第３投射画像３００ａの投射動作は、図１２に示す第２プロジェクター２００での第２投射画像２００ａの投射動作と、以下の点において異なるだけである。
第３プロジェクター３００は、ステップＳ１２において、第２部分画像情報ではなく、第３投射画像３００ａを示す第３部分画像情報を生成する。なお、第３プロジェクター３００は、個別調整モードの場合、第３投射画像３００ａに対して図９に示す項目選択画像Ｇ４を重畳した画像を示す画像情報を、画像処理後の第３部分画像情報として生成してもよい。
第３プロジェクター３００は、ステップＳ１３において、第２投射画像２００ａではなく第３投射画像３００ａを投射する。なお、第３プロジェクター３００は、個別調整モードのときに、画像処理後の第３部分画像情報を生成する場合、画像処理後の第３部分画像情報に基づいて、第３投射画像３００ａに項目選択画像Ｇ４が重畳されている画像を投射面ＳＣに投射して表示する。
第３プロジェクター３００は、ステップＳ１４において第３プロジェクター３００ではなく第４プロジェクター４００に合成画像情報Ｇ３ａを提供する。
【００６８】
＜Ａ１０：第４プロジェクター４００の投射動作＞
第４プロジェクター４００での第４投射画像４００ａの投射動作は、図１２に示す第２プロジェクター２００での第２投射画像２００ａの投射動作と、以下の点において異なるだけである。
第４プロジェクター４００は、ステップＳ１２において、第２部分画像情報ではなく、第４投射画像４００ａを示す第４部分画像情報を生成する。なお、第４プロジェクター４００は、個別調整モードの場合、第４投射画像４００ａに対して図９に示す項目選択画像Ｇ４を重畳した画像を示す画像情報を、画像処理後の第４部分画像情報として生成してもよい。
第４プロジェクター４００は、ステップＳ１３において、第２投射画像２００ａではなく第４投射画像４００ａを投射する。なお、第４プロジェクター４００は、個別調整モードのときに、画像処理後の第４部分画像情報を生成する場合、画像処理後の第４部分画像情報に基づいて、第４投射画像４００ａに項目選択画像Ｇ４が重畳されている画像を投射面ＳＣに投射して表示する。
第４プロジェクター４００は、ステップＳ１４を実行しない。
【００６９】
＜Ａ１１：全体調整時における項目の選択に伴う第１プロジェクター１００の動作＞
図１３は、項目選択画像Ｇ４に黒色で示される使用可能な項目Ｇ４ａの選択に伴う第１プロジェクター１００の動作を説明するためのフローチャートである。
【００７０】
投射面ＳＣに項目選択画像Ｇ４が表示されている状況で、ステップＳ２１において第１プロジェクター１００の受取部１２が、黒色で示される項目Ｇ４ａのいずれかを選択する選択指示を受け付けると、ステップＳ２２において、ＯＳＤ画像生成部１７１は、ＯＳＤ画像情報Ｇ２ａに代えて、調整用画像Ｇ５を含む調整用ＯＳＤ画像Ｇ６を示す調整用ＯＳＤ画像情報Ｇ６ａを生成する。例えば、ＯＳＤ画像生成部１７１は、マスター側記憶部１６に記憶されている情報を用いて、調整用ＯＳＤ画像情報Ｇ６ａを生成する。調整用画像Ｇ５は、選択指示にて示される項目に対する調整内容を受け付けるための画像である。
調整用画像Ｇ５を含む調整用ＯＳＤ画像Ｇ６の一例を図１４に示す。図１４に示す調整用画像Ｇ５は、シャープネスの項目Ｇ４ａ４を調整するための画像である。なお、シャープネスの項目Ｇ４ａ４以外の項目の調整用画像としては、図１４に示す調整用画像Ｇ５に準じた画像が用いられる。例えば、調整用画像Ｇ５において、項目名「シャープネス」の代わりに、選択指示によって選択された項目名が用いられる。
【００７１】
図１３に戻って、調整用ＯＳＤ画像情報Ｇ６ａが生成されると、ステップＳ２３において合成画像生成部１７２は、第１画像情報Ｇ１ａと調整用ＯＳＤ画像情報Ｇ６ａとを用いて、第１画像Ｇ１の上に調整用ＯＳＤ画像Ｇ６が重畳されている調整用合成画像Ｇ７を示す調整用合成画像情報Ｇ７ａを生成する。調整用合成画像Ｇ７の一例を図１５に示す。
【００７２】
図１３に戻って、続いて、ステップＳ２４においてマスター側投射画像生成部１７３は、調整用合成画像情報Ｇ７ａを用いて、調整用合成画像Ｇ７のうち第１特定情報が示す位置に存在する画像を示す調整用第１部分画像情報を生成する。マスター側投射画像生成部１７３は、調整用第１部分画像情報をマスター側投射部１４に出力する。
【００７３】
続いて、ステップＳ２５においてマスター側投射部１４は、調整用第１部分画像情報が示す調整用第１投射画像を投射面ＳＣに投射して表示する。
【００７４】
続いて、ステップＳ２６において提供部１７５は、マスター側通信部１３を用いて、調整用合成画像情報Ｇ７ａを第２プロジェクター２００に提供する。
【００７５】
＜Ａ１２：全体調整時における項目の選択に伴う第２プロジェクター２００の動作＞
図１６は、全体調整時において、使用可能な項目Ｇ４ａの選択に伴う第２プロジェクター２００の動作を説明するためのフローチャートである。
【００７６】
ステップＳ３１においてスレーブ側通信部２１が、第１プロジェクター１００から調整用合成画像情報Ｇ７ａを受信すると、ステップＳ３２においてスレーブ側投射画像生成部２５１は、調整用合成画像情報Ｇ７ａを用いて、調整用合成画像Ｇ７のうち第２特定情報が示す位置に存在する画像を示す調整用第２部分画像情報を生成する。スレーブ側投射画像生成部２５１は、調整用第２部分画像情報をスレーブ側投射部２２に出力する。
【００７７】
続いて、ステップＳ３３において、スレーブ側投射部２２は、調整用第２部分画像情報が示す調整用第２投射画像を投射面ＳＣに投射して表示する。
【００７８】
続いて、ステップＳ３４においてスレーブ側通信部２１は、調整用合成画像情報Ｇ７ａを第３プロジェクター３００に提供する。
【００７９】
＜Ａ１３：全体調整時における項目の選択に伴う第３プロジェクター３００の動作＞
全体調整時における項目の選択に伴う第３プロジェクター３００の動作は、図１６に示す第２プロジェクター２００の動作と、以下の点において異なるだけである。
第３プロジェクター３００は、ステップＳ３２において、調整用合成画像情報Ｇ７ａを用いて、調整用合成画像Ｇ７のうち第３特定情報が示す位置に存在する画像を示す調整用第３部分画像情報を生成する。第３プロジェクター３００は、調整用第３部分画像情報をスレーブ側投射部２２に出力する。
第３プロジェクター３００は、ステップＳ３３において、調整用第２投射画像ではなく、調整用第３部分画像情報が示す調整用第３投射画像を投射面ＳＣに投射して表示する。第３プロジェクター３００は、ステップＳ３４において第３プロジェクター３００ではなく第４プロジェクター４００に調整用合成画像情報Ｇ７ａを提供する。
【００８０】
＜Ａ１４：全体調整時における項目の選択に伴う第４プロジェクター４００の動作＞
全体調整時における項目の選択に伴う第４プロジェクター４００の動作は、図１６に示す第２プロジェクター２００での第２投射画像２００ａの投射動作と、以下の点において異なるだけである。
第４プロジェクター４００は、ステップＳ３２において、調整用合成画像情報Ｇ７ａを用いて、調整用合成画像Ｇ７のうち第４特定情報が示す位置に存在する画像を示す調整用第４部分画像情報を生成する。第４プロジェクター４００は、調整用第４部分画像情報をスレーブ側投射部２２に出力する。
第４プロジェクター４００は、ステップＳ３３において、調整用第２投射画像ではなく、調整用第４部分画像情報が示す調整用第４投射画像を投射面ＳＣに投射して表示する。第４プロジェクター４００は、ステップＳ３４を実行しない。
【００８１】
＜Ａ１５：個別調整時における項目の選択に伴う各プロジェクターの動作＞
個別調整時は、第１プロジェクター１００、第２プロジェクター２００、第３プロジェクター３００および第４プロジェクター４００の各々は、使用可能な項目が選択されると、選択された項目に対応する調整用画像Ｇ５をＯＳＤで投射面ＳＣに表示する。
【００８２】
＜Ａ１６：第１プロジェクター１００での設定調整動作＞
図１７は、図１５に例示されているような調整用画像Ｇ５が表示されている状況で、第１プロジェクター１００が調整内容を示す内容指示を受け付ける場合の動作を説明するためのフローチャートである。
【００８３】
ステップＳ４１においてマスター側受付部１５が内容指示を受け付けると、ステップＳ４２においてマスター側調整部１７４は、内容指示が示す調整内容に基づいて、第１プロジェクター１００の設定を調整する。
例えば、マスター側受付部１５が、第１プロジェクター１００が投射する画像のシャープネスの程度を現状よりも高くする旨の調整内容を示す内容指示を受け付けると、マスター側調整部１７４は、第１プロジェクター１００が投射する画像のシャープネスの程度が現状よりも高くなるように、マスター側投射画像生成部１７３での画像処理の設定を調整する。
【００８４】
続いて、ステップＳ４３において全体調整時である場合、ステップＳ４４において提供部１７５は、マスター側通信部１３を用いて内容指示を第２プロジェクター２００に提供する。一方、ステップＳ４３において個別調整時である場合、提供部１７５は、内容指示を提供することなく図１７に示す動作を終了する。つまり、第１プロジェクター１００によって受け付けられた内容指示は、全体調整のときだけ、第２プロジェクター２００に提供される。
【００８５】
＜Ａ１７：第２プロジェクター２００が第１プロジェクター１００から内容指示を受信する場合の動作＞
図１８は、第２プロジェクター２００が第１プロジェクター１００から内容指示を受信する場合の動作を説明するためのフローチャートである。
【００８６】
ステップＳ５１においてスレーブ側通信部２１が第１プロジェクター１００から内容指示を受信する場合、ステップＳ５２においてスレーブ側調整部２５２は、当該内容指示が示す調整内容に基づいてスレーブ側投射画像生成部２５１における画像処理の設定を調整する。続いて、ステップＳ５３においてスレーブ側通信部２１は、内容指示を第３プロジェクター３００に提供する。
【００８７】
＜Ａ１８：第３プロジェクター３００が第２プロジェクター２００から内容指示を受信する場合の動作＞
第３プロジェクター３００が第２プロジェクター２００から内容指示を受信する場合の動作は、第２プロジェクター２００が内容指示を受信するときの動作と、以下の点において異なるだけである。
第３プロジェクター３００は、ステップＳ５２において、第２プロジェクター２００から提供された内容指示に基づいて第３プロジェクター３００での画像処理の設定を調整し、ステップＳ５３において、内容指示を第４プロジェクター４００に提供する。
【００８８】
＜Ａ１９：第４プロジェクター４００が第３プロジェクター３００から内容指示を受信する場合の動作＞
第４プロジェクター４００が第３プロジェクター３００から内容指示を受信する場合の動作は、第２プロジェクター２００が内容指示を受信するときの動作と、以下の点において異なるだけである。
第４プロジェクター４００は、ステップＳ５２において、第３プロジェクター３００から提供された内容指示に基づいて第４プロジェクター４００での画像処理の設定を調整し、ステップＳ５３を実行しない。
【００８９】
＜Ａ２０：第２プロジェクター２００が利用者から内容指示を受け付ける場合の動作＞
図１９は、第２プロジェクター２００が利用者から内容指示を受け付けた場合の動作を説明するためのフローチャートである。
【００９０】
ステップＳ６１においてスレーブ側受付部２３が利用者から調整内容を示す内容指示を受け付ける場合、ステップＳ６２において調整モードが個別調整モードである場合、ステップＳ６３においてスレーブ側調整部２５２は、内容指示が示す調整内容に基づいて第２プロジェクター２００における画像処理の設定を調整する。
一方、ステップＳ６２において調整モードが全体調整モードである場合、スレーブ側調整部２５２は、内容指示が示す調整内容に基づく第２プロジェクター２００における画像処理の設定の調整を実行せずに、図１９に示した動作を終了する。
【００９１】
なお、第３プロジェクター３００が利用者から内容指示を受け付けた場合の動作、および、第４プロジェクター４００が利用者から内容指示を受け付けた場合の動作は、第２プロジェクター２００が内容指示を受信したときの動作と同様である。
【００９２】
＜Ａ２１：全体調整・個別調整について＞
本実施形態では、全体調整モードにおいては、第１プロジェクター１００が受け付ける内容指示が示す調整内容に基づいて、第１プロジェクター１００、第２プロジェクター２００、第３プロジェクター３００および第４プロジェクター４００の設定を調整することが可能になる。よって、複数のプロジェクターの設定をまとめて調整できる。また、本実施形態では、個別調整モードにおいては、第１プロジェクター１００、第２プロジェクター２００、第３プロジェクター３００および第４プロジェクター４００の設定を個別に調整することもできる。
【００９３】
＜Ａ２２：調整項目について＞
本実施形態に係るマルチプロジェクションシステム１、第１プロジェクター１００および第１プロジェクター１００の制御方法によれば、図１０および図１１に例示されるように、調整指示が全体調整を示す第１の場合と、調整指示が個別調整を示す第２の場合とで、項目選択画像Ｇ４において、明るさの項目Ｇ４ａ２およびコントラストの項目Ｇ４ａ３の態様が異なる。
このため、利用者は、明るさの項目Ｇ４ａ２およびコントラストの項目Ｇ４ａ３の態様に基づいて、項目選択画像Ｇ４が全体調整用であるのか個別調整用であるのかを判別可能になる。
【００９４】
本実施形態では、調整指示が全体調整を示す場合と、調整指示が個別調整を示す場合とで、項目選択画像Ｇ４において明るさの項目Ｇ４ａ２およびコントラストの項目Ｇ４ａ３の色が異なる。
このため、利用者は、明るさの項目Ｇ４ａ２およびコントラストの項目Ｇ４ａ３の色に基づいて、項目選択画像Ｇ４が全体調整用であるのか個別調整用であるのかを判別可能になる。
【００９５】
本実施形態では、明るさの項目Ｇ４ａ２およびコントラストの項目Ｇ４ａ３の色を、調整指示が全体調整を示す場合にグレー色とし、調整指示が個別調整を示す場合に黒色としたが、明るさの項目Ｇ４ａ２およびコントラストの項目Ｇ４ａ３の色は、調整指示が全体調整を示す場合と個別調整を示す場合とで異なっていればよい。
なお、調整指示が全体調整を示す場合に、明るさの項目Ｇ４ａ２とコントラストの項目Ｇ４ａ３をグレー色で示すと、明るさの項目Ｇ４ａ２とコントラストの項目Ｇ４ａ３に対してグレーアウトが施されている状況と同様となる。このため、調整指示が全体調整を示す場合に、明るさの項目Ｇ４ａ２とコントラストの項目Ｇ４ａ３が使用不可であることを利用者に認識させ易くなる。
【００９６】
明るさの項目Ｇ４ａ２およびコントラストの項目Ｇ４ａ３は、全体調整においては使用できず個別調整においては使用できる項目である。このため、明るさの項目Ｇ４ａ２およびコントラストの項目Ｇ４ａ３の態様の違いによって、明るさの項目Ｇ４ａ２およびコントラストの項目Ｇ４ａ３が、全体調整においては使用できず個別調整においては使用できることを利用者に認識させることも可能になる。
【００９７】
ＯＳＤ画像生成部１７１は、調整指示が全体調整を示す場合には、例えば図２０に例示するように、明るさの項目Ｇ４ａ２およびコントラストの項目Ｇ４ａ３を項目選択画像Ｇ４に含ませず、調整指示が個別調整を示す場合には、図１１に例示するように明るさの項目Ｇ４ａ２およびコントラストの項目Ｇ４ａ３を項目選択画像Ｇ４に含ませてもよい。
この場合、項目選択画像Ｇ４において、明るさの項目Ｇ４ａ２およびコントラストの項目Ｇ４ａ３は、使用できないときに表示されなくなる。このため、明るさの項目Ｇ４ａ２およびコントラストの項目Ｇ４ａ３が使用できない状況において、利用者が、明るさの項目Ｇ４ａ２およびコントラストの項目Ｇ４ａ３を使用できると誤って認識してしまうことを抑制できる。
【００９８】
ＯＳＤ画像生成部１７１は、調整指示が全体調整を示す場合と、調整指示が個別調整を示す場合とで、項目選択画像Ｇ４における明るさの項目Ｇ４ａ２およびコントラストの項目Ｇ４ａ３の形状を異ならせてもよい。本実施形態に係るマルチプロジェクションシステム１は、全体調整と個別調整とで、ＯＳＤ画像Ｇ２に含まれる項目Ｇ４ａの態様である形状を異ならせてもよい。
例えば、調整指示が個別調整を示す場合には、明るさの項目Ｇ４ａ２およびコントラストの項目Ｇ４ａ３を、図１１に例示するように、当該項目のみの形状で項目選択画像Ｇ４に含ませ、調整指示が全体調整を示す場合には、例えば図２１に例示するように、明るさの項目Ｇ４ａ２およびコントラストの項目Ｇ４ａ３を、図１１に例示される形状とは異なる形状としてもよい。図２１では、明るさの項目Ｇ４ａ２およびコントラストの項目Ｇ４ａ３の各々は、「全体調整では使用しないでください」というポップアップ表示が付されている形状になっている。
なお、ポップアップ表示される内容は、図２１に示す内容に限らず適宜変更可能である。さらに言えば、明るさの項目Ｇ４ａ２およびコントラストの項目Ｇ４ａ３において、図１１に例示される形状とは異なる形状は、図２１に示す形状に限らず適宜変更可能である。また、項目のみの形状は、図１１に例示される形状に限らず適宜変更可能である。
【００９９】
また、ＯＳＤ画像生成部１７１は、項目選択画像Ｇ４として、図２２に例示されるような、全体調整で使用できる項目と、個別調整で使用できる項目とを、階層的に示す画像Ｇ４１を用いてもよい。
図２２に示す例では、全体調整の項目Ｇ４１ａの下の階層に、カラーモードの項目Ｇ４ａ１とシャープネスの項目Ｇ４ａ４が位置し、個別調整の項目Ｇ４１ｂの下の階層に、明るさの項目Ｇ４ａ２とコントラストの項目Ｇ４ａ３が位置する。
ここで、図２２に示す例では、カラーモードの項目Ｇ４ａ１とシャープネスの項目Ｇ４ａ４とは、全体調整では使用できるが個別調整では使用できず、また、明るさの項目Ｇ４ａ２とコントラストの項目Ｇ４ａ３は、全体調整では使用できないが個別調整では使用できるとする。
【０１００】
例えば、ＯＳＤ画像生成部１７１は、調整指示が全体調整を示す場合、画像Ｇ４１において、全体調整の項目Ｇ４１ａと、全体調整において使用可能なカラーモードの項目Ｇ４ａ１およびシャープネスの項目Ｇ４ａ４とを黒色で含ませ、個別調整の項目Ｇ４１ｂと、全体調整において使用できない明るさの項目Ｇ４ａ２およびコントラストの項目Ｇ４ａ３とをグレー色で含ませる。なお、ＯＳＤ画像生成部１７１は、調整指示が全体調整を示す場合、画像Ｇ４１において、個別調整の項目Ｇ４１ｂと、全体調整において使用できない明るさの項目Ｇ４ａ２およびコントラストの項目Ｇ４ａ３とを含ませなくてもよい。
一方、調整指示が個別調整を示す場合、ＯＳＤ画像生成部１７１は、画像Ｇ４１において、個別調整の項目Ｇ４１ｂと、個別調整において使用可能な明るさの項目Ｇ４ａ２およびコントラストの項目Ｇ４ａ３とを黒色で含ませ、全体調整の項目Ｇ４１ａと、個別調整において使用できないカラーモードの項目Ｇ４ａ１およびシャープネスの項目Ｇ４ａ４とをグレー色で含ませる。なお、ＯＳＤ画像生成部１７１は、調整指示が個別調整を示す場合、画像Ｇ４１に、全体調整の項目Ｇ４１ａと、個別調整において使用できないカラーモードの項目Ｇ４ａ１およびシャープネスの項目Ｇ４ａ４とを含ませなくてもよい。
【０１０１】
ＯＳＤ画像生成部１７１は、調整指示が全体調整を示す場合、項目選択画像Ｇ４として、図２３に例示されるような、全体調整の項目Ｇ４１ａの下の階層に、全体調整において使用可能な項目が位置する画像Ｇ４２を用いてもよい。
また、ＯＳＤ画像生成部１７１は、調整指示が個別調整を示す場合、項目選択画像Ｇ４として、図２４に例示されるような、個別調整の項目Ｇ４１ｂの下の階層に、個別調整において使用可能な項目が位置する画像Ｇ４３を用いてもよい。
このように、項目選択画像Ｇ４において、調整指示に応じて、全体調整の項目Ｇ４１ａと個別調整の項目Ｇ４１ｂとの表示が切り替わると、利用者は、項目選択画像Ｇ４が全体調整用であるのか個別調整用であるのかを容易に判別可能になる。
【０１０２】
＜Ｂ：変形例＞
以上の例示における形態は多様に変形され得る。具体的な変形の態様を以下に例示する。以下の例示から任意に選択される２以上の態様は、相互に矛盾しない範囲で適宜に併合され得る。
【０１０３】
＜変形例１＞
全体調整時における合成画像Ｇ３内での項目選択画像Ｇ４の位置および大きさは、図１０、図２０または図２１に示す位置および大きさに限らず適宜変更可能である。
【０１０４】
＜変形例２＞
第２特定情報が第１プロジェクター１００に記憶されている場合、提供部１７５は、第２特定情報を第２プロジェクター２００に提供してもよい。第２プロジェクター２００は、第１プロジェクター１００から提供される第２特定情報および合成画像情報を用いて、第２部分画像情報を生成する。
この場合、第１プロジェクター１００は、第２特定情報および合成画像情報によって、第２プロジェクター２００が投射する第２投射画像２００ａを指定できる。
また、第２プロジェクター２００は、第２特定情報という１つの情報を用いて、第１画像Ｇ１のうち第２プロジェクター２００が担当する画像部分と、ＯＳＤ画像Ｇ２のうち第２プロジェクター２００が担当する画像部分とを特定でき、各画像部分を別々の情報で特定する構成に比べて、各画像部分を特定する情報を少なくできる。
【０１０５】
＜変形例３＞
ＯＳＤ画像Ｇ２の解像度は、第１画像Ｇ１の解像度と異なってもよい。
【０１０６】
＜変形例４＞
マスター側投射部１４およびスレーブ側投射部２２では、光変調装置として液晶ライトバルブが用いられるが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【符号の説明】
【０１０７】
１…マルチプロジェクションシステム、２…ＰＣ、１００…第１プロジェクター、１１…受信部、１２…受取部、１３…マスター側通信部、１４…マスター側投射部、１５…マスター側受付部、１６…マスター側記憶部、１７…マスター側処理部、１７１…ＯＳＤ画像生成部、１７２…合成画像生成部、１７３…マスター側投射画像生成部、１７４…マスター側調整部、１７５…提供部、２００…第２プロジェクター、２１…ＯＳＤ画像Ｇ、２２…スレーブ側投射部、２３…スレーブ側受付部、２４…スレーブ側記憶部、２５…スレーブ側処理部、２５１…スレーブ側投射画像生成部、２５２…スレーブ側調整部、３００…第３プロジェクター、４００…第４プロジェクター。
【図１】
2020068447.tif 000003
【図２】
2020068447.tif 000004
【図３】
2020068447.tif 000005
【図４】
2020068447.tif 000006
【図５】
2020068447.tif 000007
【図６】
2020068447.tif 000008
【図７】
2020068447.tif 000009
【図８】
2020068447.tif 000010
【図９】
2020068447.tif 000011
【図１０】
2020068447.tif 000012
【図１１】
2020068447.tif 000013
【図１２】
2020068447.tif 000014
【図１３】
2020068447.tif 000015
【図１４】
2020068447.tif 000016
【図１５】
2020068447.tif 000017
【図１６】
2020068447.tif 000018
【図１７】
2020068447.tif 000019
【図１８】
2020068447.tif 000020
【図１９】
2020068447.tif 000021
【図２０】
2020068447.tif 000022
【図２１】
2020068447.tif 000023
【図２２】
2020068447.tif 000024
【図２３】
2020068447.tif 000025
【図２４】
2020068447.tif 000026